(57)【要約】【課題】無操作時電源オフ機能によるユーザが望まない電源オフの実行を回避することができる映像表示装置を提供する。【解決手段】制御部８の指示に従って外部入力モードと非外部入力モードとの切り替えを行う切替部４と、前記外部入力モードであるときに、動き検出回路５Ｄの検出結果に基づいて外部入力の映像が動画であるか静止画であるかを確認し、外部入力の映像が動画であれば無操作時電源オフ機能を無効にし、外部入力の映像が静止画であれば無操作時電源オフ機能を有効にする制御部８とを備える映像表示装置。【選択図】図１
2009077349.tif 000002
【特許請求の範囲】
【請求項１】
外部入力モードと非外部入力モードとの切り替えを行う切替部と、
前記外部入力モードであるときに、外部入力の映像が動画であるか静止画であるかを確認し、外部入力の映像が動画であれば無操作時電源オフ機能を無効にし、外部入力の映像が静止画であれば無操作時電源オフ機能を有効にする制御部とを備えることを特徴とする映像表示装置。
【請求項２】
第１設定時間及び前記第１設定時間より短い第２設定時間を記憶する記憶部を備え、
前記制御部が、前記非外部入力モードであるときに、無操作時電源オフ機能を有効にし、無操作状態の検出が前記第１設定時間以上継続した場合に前記映像表示装置の電源をオフにし、前記外部入力モードであって、且つ外部入力の映像が静止画であるときに、無操作時電源オフ機能を有効にし、無操作状態の検出が前記第２設定時間以上継続した場合に前記映像表示装置の電源をオフにする請求項１に記載の映像表示装置。
【請求項３】
前記第１設定時間及び前記第２設定時間がそれぞれ変更可能である請求項２に記載の映像表示装置。
【発明の詳細な説明】
【技術分野】
【０００１】
本発明は、映像表示装置に関し、特に無操作時電源オフ機能を有する映像表示装置に関する。
【背景技術】
【０００２】
現在の映像表示装置には、省エネルギー化を図ることを目的とし、無信号時及び無操作時に電源をオフする機能を有しているものがある。
【０００３】
無信号時電源オフ機能は、放送終了などにより映像信号が存在しないことを検出し、そのような状態が或る期間継続した場合に映像表示装置の電源をオフにするものが一般的である。
【０００４】
無操作時電源オフ機能は、ユーザがリモコン送信機や映像表示装置本体に設けられている操作ボタンを或る期間操作しないことを検出した場合に、映像表示装置の電源をオフにするものが一般的である。
【０００５】
【特許文献１】特開２００７−２７９７３号公報
【特許文献２】特開２００６−６７７６８号公報
【特許文献３】特開平６−６２３２９号公報
【特許文献４】特開２００６−１６２８３５号公報
【特許文献５】特開２００３−３４８５１４号公報
【発明の開示】
【発明が解決しようとする課題】
【０００６】
映像表示装置内のチューナを用いてＴＶ放送を視聴する場合は、チャンネル切り替え等で映像表示装置に対して頻繁に操作を行うため、ユーザが望まない映像表示装置の電源オフが実行される可能性は少ない。
【０００７】
これに対して、ＤＶＤレコーダ等の外部映像再生機器を映像表示装置に接続し、映像表示装置を外部入力モードにした場合、ユーザが映像表示装置に対して操作を行わない期間がかなりの長時間に渡り継続される可能性が高い。これは、例えば、ＤＶＤレコーダ等の外部映像再生機器内のチューナを用い、外部映像再生機器の出力信号を映像表示装置が外部入力してテレビ放送を視聴する場合、チャンネル切り替えはＤＶＤレコーダ等外部映像再生機器で行われ、ＤＶＤレコーダ等の外部映像再生機器でコンテンツを再生し外部映像再生機器の出力信号を映像表示装置が外部入力してコンテンツを視聴する場合、再生、停止、一時停止、コマ送り、スキップなどの各種動作切り替えはＤＶＤレコーダ等の外部映像再生機器で行われるためである。
【０００８】
ＤＶＤレコーダ等の外部映像再生機器を映像表示装置に接続し、映像表示装置を外部入力モードにした場合は、上述のように、ユーザが映像表示装置に対して操作を行わない期間がかなりの長時間に渡り継続される可能性が高いため、無操作時電源オフ機能が働き、ユーザが望まない映像表示装置の電源オフが実行される可能性が高い。
【０００９】
このようなユーザが望まない映像表示装置の電源オフの実行を回避するためには、無操作時電源オフ機能の設定時間を長時間に設定することが最も簡単な方法であるが、このような設定は省エネルギー化の観点からは望ましくない。
【００１０】
また、他の回避方法としては、無操作時電源オフ機能による電源オフを回避するために、視聴状態になるべく影響を与えない操作（例えば、音量アップ）を映像表示装置に対して行い、その後視聴状態を元に戻すために再度映像表示装置に対する操作（例えば、音量ダウン）を行うことが考えられるが、ユーザに本来不要な２回の操作を強いることになり、ユーザにとって煩わしいといった問題があった。
【００１１】
なお、特許文献１で提案されているリモートコントロール装置は、外部映像機器のリモコン送信機であって、ユーザによって操作されると、外部映像機器に操作信号を無線送信するとともに、所定のテレビ用操作信号をテレビ受信機に対して無線送信させて、テレビ受信機の無操作時電源オフ機能による電源オフを回避している。これにより、ＤＶＤレコーダ等の外部映像機器を映像表示装置に接続し、映像表示装置を外部入力モードにした場合に、映像表示装置の無操作時電源オフ機能が働き、ユーザが望まない映像表示装置の電源オフが実行されることを回避することができる。しかしながら、特許文献１で提案されているリモートコントロール装置は、前記所定のテレビ用操作信号を、通常の映像表示及び音声出力に影響を与えない操作信号にしなければ、テレビ受信機の設定が変わってしまうという問題があった。また、特許文献１で提案されているリモートコントロール装置は、テレビ受信機と外部映像機器のいずれもがリモートコントロール装置の無線送信可能範囲になければ効果を奏さないという問題があった。
【００１２】
また、特許文献２で提案されているＡＶ装置は、無操作時電源オフ機能による電源オフの際に電源を遮断するまでの時間や警告サインを表示手段に表示させるものであって、ＤＶＤレコーダ等の外部映像機器を映像表示装置に接続し、映像表示装置を外部入力モードにした場合に、映像表示装置の無操作時電源オフ機能が働き、ユーザが望まない映像表示装置の電源オフが実行されることを回避するものではない。
【００１３】
また、特許文献３で提案されているテレビジョン受像機は、全チャンネルが無信号状態になって初めて電源をオフにする無信号時電源オフ機能を有するものであって、ＤＶＤレコーダ等の外部映像機器を映像表示装置に接続し、映像表示装置を外部入力モードにした場合に、映像表示装置の無操作時電源オフ機能が働き、ユーザが望まない映像表示装置の電源オフが実行されることを回避するものではない。
【００１４】
また、特許文献４で提案されているデジタルカメラは、自装置の姿勢を検出し、その検出結果に応じてオートパワーオフの働く時間を変更するものであって、ＤＶＤレコーダ等の外部映像機器を映像表示装置に接続し、映像表示装置を外部入力モードにした場合に、映像表示装置の無操作時電源オフ機能が働き、ユーザが望まない映像表示装置の電源オフが実行されることを回避するものではない。
【００１５】
また、特許文献５で提案されているハードディスクレコーダは、無信号時電源オフ機能を有するものであって、ＤＶＤレコーダ等の外部映像機器を映像表示装置に接続し、映像表示装置を外部入力モードにした場合に、映像表示装置の無操作時電源オフ機能が働き、ユーザが望まない映像表示装置の電源オフが実行されることを回避するものではない。
【００１６】
本発明は、上記の状況に鑑み、無操作時電源オフ機能によるユーザが望まない電源オフの実行を回避することができる映像表示装置を提供することを目的とする。
【課題を解決するための手段】
【００１７】
上記目的を達成するために本発明に係る映像表示装置は、外部入力モードと非外部入力モードとの切り替えを行う切替部と、前記外部入力モードであるときに、外部入力の映像が動画であるか静止画であるかを確認し、外部入力の映像が動画であれば無操作時電源オフ機能を無効にし、外部入力の映像が静止画であれば無操作時電源オフ機能を有効にする制御部とを備える構成とする。
【００１８】
このような構成によると、外部入力モードであって、且つ外部入力の映像が動画である場合、例えば、ＤＶＤレコーダ等の外部映像再生機器でコンテンツを再生し外部映像再生機器の出力信号を映像表示装置が外部入力してコンテンツを視聴する場合に、無操作状態が継続しても無操作時電源オフ機能によるユーザが望まない電源オフの実行を回避することができる。
【００１９】
また、上記構成の映像表示装置において、第１設定時間及び前記第１設定時間より短い第２設定時間を記憶する記憶部を備え、前記制御部が、前記非外部入力モードであるときに、無操作時電源オフ機能を有効にし、無操作状態の検出が前記第１設定時間以上継続した場合に前記映像表示装置の電源をオフにし、前記外部入力モードであって、且つ外部入力の映像が静止画であるときに、無操作時電源オフ機能を有効にし、無操作状態の検出が前記第２設定時間以上継続した場合に前記映像表示装置の電源をオフにするようにしてもよい。さらに、前記第１設定時間及び前記第２設定時間がそれぞれ変更可能であるようにしてもよい。
【００２０】
このような構成によると、非外部入力モードである場合、例えば、映像表示装置内のチューナ部を用いたＴＶ放送視聴の場合に、無操作状態の検出が第１設定時間以上継続した場合に、映像表示装置の電源をオフするので、非外部入力モードでの省エネルギー化を図ることができる。また、このような構成によると、外部入力モードであって、且つ外部入力の映像が静止画である場合、例えば、ＤＶＤレコーダ等の外部映像再生機器でのコンテンツ再生が終了した場合に、比較的短時間（第１設定時間よりも短い第２設定時間）で無操作時電源オフ機能による電源オフが実行されるので、外部入力モードでの適切な省エネルギー化を図ることができる。
【発明の効果】
【００２１】
本発明に係る映像表示装置によると、外部入力モードであって、且つ外部入力の映像が動画である場合、例えば、ＤＶＤレコーダ等の外部映像再生機器でコンテンツを再生し外部映像再生機器の出力信号を映像表示装置が外部入力してコンテンツを視聴する場合に、無操作状態が継続しても無操作時電源オフ機能によるユーザが望まない電源オフの実行を回避することができる。
【発明を実施するための最良の形態】
【００２２】
本発明の実施形態について図面を参照して以下に説明する。
【００２３】
本発明に係る映像表示装置の概略構成例を図１に示す。図１に示す映像表示装置１は、地上デジタル放送受信対応のテレビジョン受像機であって、チューナ部２と、外部入力部３と、切替部４と、信号処理部５と、表示部６と、音声出力部７と、制御部８と、リモコン受信部９と、操作部１０と、内部時計１１と、フラッシュメモリ１２とを備えている。チューナ部２にはアンテナ１３が外部接続され、外部入力部３にはＤＶＤレコーダ等の外部映像再生機器（不図示）が外部接続される。
【００２４】
アンテナ１３は、地上デジタル放送の放送電波を受信し、受信放送電波に応じた高周波信号をチューナ部２に出力する。チューナ部２は、制御部８の指示に従って、アンテナ１３から入力された高周波信号から希望チャンネルに対応する周波数の信号を選局し、その選局された信号を中間周波信号にダウンコンバートし、その中間周波信号をデジタル復調してトランスポートストリームを取り出し切替部４に出力する。
【００２５】
外部入力部３は、ＤＶＤレコーダ等の外部映像再生機器（不図示）から映像音声信号の入力を受け付け、その映像音声信号を切替部４に出力する。
【００２６】
切替部４は、制御部８の指示に従って、チューナ部２から出力される信号と外部入力部３から出力される信号のいずれかを選択して信号処理部５に出力する。
【００２７】
信号処理部５は、分離回路５Ａと、映像信号処理回路５Ｂと、無信号状態検出回路５Ｃと、動き検出回路５Ｄと、音声信号処理回路５Ｅとを有している。分離回路５Ａは、切替部４の出力信号から映像信号と音声信号をそれぞれ分離する。映像信号処理回路５Ｂは、切替部４がチューナ部２から出力される信号を選択した場合と、切替部４が外部入力部３から出力される信号を選択した場合とで互いに異なる処理を映像信号に施した後、処理後の映像信号を表示部６に出力する。音声信号処理回路５Ｅは、切替部４がチューナ部２から出力される信号を選択した場合と、切替部４が外部入力部３から出力される信号を選択した場合とで互いに異なる処理を音声信号に施した後、処理後の音声信号を音声出力部７に出力する。
【００２８】
表示部６は、信号処理部５の映像信号処理回路５Ｂの出力信号に基づき映像を表示する。音声出力部７は、信号処理部５の音声信号処理回路５Ｅの出力信号に基づき音声を発する。
【００２９】
リモコン受信部９は、不図示のリモコン送信機から赤外線信号を受信しユーザのリモコン操作に対応するコード信号を制御部８に出力する。また、各種操作ボタンからなる操作部１０は、ユーザが押圧した操作ボタンに対応するコード信号を制御部８に出力する。
【００３０】
内部時計１１は、現在日時の計時をする。フラッシュメモリ１２には各種設定情報が記憶される。
【００３１】
図１に示す映像表示装置１は、無信号時電源オフ機能を有している。具体的には、フラッシュメモリ１２が無信号時電源オフ用設定時間（例えば、３分）を予め記憶し、信号処理部５の無信号状態検出回路５Ｃが映像信号処理回路５Ｂの出力信号に基づいて（例えば、映像信号処理回路５Ｂの出力信号に含まれる水平同期信号或いは垂直同期信号の有無によって）、無信号状態を検出し、制御部８が、内部時計１１をタイマとして利用し、無信号状態検出回路５Ｃによる無信号状態の検出が無信号時電源オフ用設定時間以上継続した場合に、映像表示装置１の電源をオフするようにしている。なお、フラッシュメモリ１２に記憶される無信号時電源オフ用設定時間は、ユーザによるリモコン操作により変更可能となっている。
【００３２】
また、図１に示す映像表示装置１は、無操作時電源オフ機能を有している。具体的には、フラッシュメモリ１２が無操作時電源オフ用設定時間を予め記憶し、制御回路８が、リモコン受信部９の出力信号及び操作部１０の出力信号の有無によって、無操作状態を検出し、内部時計１１をタイマとして利用し、無操作状態の検出が無操作時電源オフ用設定時間以上継続した場合に、映像表示装置１の電源をオフするようにしている。なお、本実施形態では、無操作時電源オフ用設定時間として、無操作時電源オフ用第１設定時間（例えば、３時間）と、無操作時電源オフ用第１設定時間より短い無操作時電源オフ用第２設定時間（例えば、３分）との二つがあり、それぞれユーザによるリモコン操作により変更可能となっている。
【００３３】
そして、図１に示す映像表示装置１は、無操作時電源オフ機能の有効、無効を図２に示すフローチャートに従って切り替えている。図１に示す映像表示装置１は、電源がオンになると、図２に示すフローチャートの動作を開始する。まず、制御部８は、外部入力部３から出力される信号を選択するよう切替部４に指示しているか否か、すなわち外部入力モードであるか否かを確認する（ステップＳ１０）。
【００３４】
外部入力モードでなければ（ステップＳ１０のＮＯ）、無操作時電源オフ用第１設定時間（例えば、３時間）を用いて無操作時電源オフ機能を有効にし（ステップＳ５０）、その後ステップＳ１０に移行する。これにより、無操作状態の検出が無操作時電源オフ用第１設定時間（例えば、３時間）以上継続した場合に、映像表示装置１の電源をオフするようになり、映像表示装置内のチューナ部２を用いたＴＶ放送視聴に適した設定となる。
【００３５】
一方、外部入力モードであれば（ステップＳ１０のＹＥＳ）、制御部８は、動き検出回路５Ｄの検出結果に基づいて、外部入力の映像が動画であるか否かを確認する（ステップＳ２０）。動き検出回路５Ｄは、例えば、映像信号処理回路５Ｂの出力信号にフィルタをかけてノイズを除去し、その後１フレーム中の特定領域の映像データを抽出し、２フレーム間の特定領域の映像データについて差分を求めてそれを積算し、積算値が所定レベルを越えた場合に動きを検出する。誤検出を防止するためには、明らかに映像が動いている場合にのみ動きを検出するようにすればよいので、フィルタによるノイズ除去を多くし、差分の積算値と比較する所定レベルを大きめに設定するとよい。動き検出回路５Ｄは、動きを検出しその検出した動きにあった信号処理を映像信号に施すためのものではなく、上述のように明らかに映像が動いていることを検出し無操作時電源オフ機能の有効、無効の切替基準として用いるためだけのものであるので、大まかな動き検出ができればよく、また大まかな動き検出をすることが望ましい。したがって、動き検出回路５Ｄは、簡単で低廉な構成で実現することができる。
【００３６】
外部入力の映像が動画であれば（ステップＳ２０のＹＥＳ）、無操作時電源オフ機能を無効にし（ステップＳ３０）、その後ステップＳ１０に移行する。これにより、図１に示す映像表示装置１の無操作状態が継続しても無操作時電源オフ機能によるユーザが望まない電源オフの実行を回避できるので、ＤＶＤレコーダ等の外部映像再生機器でコンテンツを再生し外部映像再生機器の出力信号を図１に示す映像表示装置１が外部入力してコンテンツを視聴する場合に適した設定となる。
【００３７】
外部入力の映像が動画でなく静止画であれば（ステップＳ２０のＮＯ）、無操作時電源オフ用第１設定時間より短い無操作時電源オフ用第２設定時間（例えば、３分）を用いて無操作時電源オフ機能を有効にし（ステップＳ４０）、その後ステップＳ１０に移行する。これにより、ＤＶＤレコーダ等の外部映像再生機器でのコンテンツ再生が終了し、ＤＶＤレコーダ等の外部映像再生機器からの映像が静止画になった場合に、比較的短時間で無操作時電源オフ機能による電源オフが実行され、省エネルギー化を図ることができる。
【００３８】
ＤＶＤレコーダでＣＤの再生を行う等の特殊な場合を除き音声のみを外部入力することはなく、逆に映像のみを外部入力することは比較的頻繁に行われるため、図２のステップＳ２０乃至Ｓ４０のように外部入力の映像のみに応じて無操作時電源オフ機能を有効、無効を切り替えている図１に示す映像表示装置１は、非常に実用性の高いものである。
【００３９】
なお、上述した実施形態では本発明を地上デジタル放送受信対応のテレビジョン受像機に適用したが、本発明はこれに限らず、他のテレビ放送（例えばＢＳデジタル放送）を受信するテレビジョン受像機にも適用可能である。
【図面の簡単な説明】
【００４０】
【図１】は、本発明に係る映像表示装置の概略構成例を示す図である。
【図２】は、無操作時電源オフ機能の有効、無効を切り替えるためのフローチャートである。
【符号の説明】
【００４１】
１  映像表示装置
２  チューナ部
３  外部入力部
４  切替部
５  信号処理部
５Ａ  分離回路
５Ｂ  映像信号処理回路
５Ｃ  無信号状態検出回路
５Ｄ  動き検出回路
５Ｅ  音声信号処理回路
６  表示部
７  音声出力部
８  制御部
９  リモコン受信部
１０  操作部
１１  内部時計
１２  フラッシュメモリ
１３  アンテナ
【図１】
2009077349.tif 000003
【図２】
2009077349.tif 000004